(57)【要約】【課題】導電線が配索位置から意図せずにずれ動くのを抑える。【解決手段】端子部３０には、導電線としての電源ケーブル１８が接続される。電源ケーブル１８は、ケーブル規制部５０によって、フランジ部２１から離れる方向への移動が規制される。ケーブル規制部５０は、フランジ部２１に設けられた立設部５１と、立設部５１の先端で折り返されたフック部５２とを有する。【選択図】図５
2020136209.tif 000002
【特許請求の範囲】
【請求項１】
光源ユニットを着脱可能に取り付けるためのソケットであって、
径方向の中央位置に中央開口が形成されたフランジ部と、
前記中央開口を挟んで前記フランジ部に設けられ、導電線が接続される一対の端子部と、
前記導電線が前記フランジ部から離れる方向に移動するのを規制する導電線規制部とを備えたソケット。
【請求項２】
請求項１において、
前記導電線規制部は、前記フランジ部に設けられた立設部と、該立設部の先端で折り返されたフック部とを有するソケット。
【請求項３】
請求項１において、
前記導電線は、前記フランジ部に設けられた一対の立設部と、該一対の立設部からそれぞれ突出して互いに対向する一対の爪部とを有するソケット。
【請求項４】
請求項１において、
前記導電線は、前記フランジ部に設けられた第１挟持部と、該第１挟持部との間に前記導電線を挟み込む隙間を存して該フランジ部に設けられた第２挟持部とを有するソケット。
【請求項５】
請求項４において、
前記第１挟持部と前記第２挟持部との隙間は、前記導電線の配索方向の上流側と下流側とで異なっているソケット。
【請求項６】
請求項４又は５において、
前記第２挟持部との間に前記導電線を挟み込む隙間を存して、前記フランジ部に設けられた第３挟持部を有し、
前記第１挟持部及び前記第２挟持部の隙間と、前記第２挟持部及び前記第３挟持部の隙間とが異なっているソケット。
【請求項７】
請求項１乃至６のうち何れか１つにおいて、
前記フランジ部の中央開口の周縁部に沿って設けられた筒状部と、
前記筒状部との間に前記導電線を配索する隙間を存して、前記フランジ部に設けられたスペーサ部とをさらに備えたソケット。
【請求項８】
請求項７において、
前記導電線規制部は、前記筒状部の外周面から前記スペーサ部に向かって突出する突起部を有するソケット。
【請求項９】
請求項７において、
前記導電線規制部は、前記フランジ部から離れた位置で、前記筒状部と前記スペーサ部との隙間を覆う蓋部を有するソケット。
【請求項１０】
請求項９において、
前記蓋部は、前記隙間を閉塞する閉じ位置と、該隙間を開放する開き位置との間で開閉可能となっているソケット。
【請求項１１】
請求項７乃至１０のうち何れか１つにおいて、
前記端子部には、前記導電線を挿入する筒状の導電線挿入口が設けられ、
前記導電線挿入口の周縁部の一部が切り欠かれており、
前記スペーサ部は、前記導電線挿入口の切欠き部分に対向する位置に配置されているソケット。
【請求項１２】
請求項１乃至１１のうち何れか１つに記載のソケットと、
前記ソケットに着脱可能に取り付けられた光源ユニットとを備えた照明器具。
【発明の詳細な説明】
【技術分野】
【０００１】
本発明は、ソケット及び照明器具に関するものである。
【背景技術】
【０００２】
特許文献１には、ホルダの係入口に挿入してバネ接点に接続された導電線（リード線）を、筒状リブとスペーサとの隙間に配索した後で、支持部材のリード線引出孔から引き出すようにした照明装置が開示されている。
【０００３】
ここで、ソケットは、支持部材のソケット固定部にスペーサを当接させた状態で、締結部材によって締結することで、支持部材に固定されている。
【先行技術文献】
【特許文献】
【０００４】
【特許文献１】特開２０１１−７０９０１号公報
【発明の概要】
【発明が解決しようとする課題】
【０００５】
ところで、特許文献１の発明では、天井面に取り付けられた支持部材にソケットを締結する際に、ソケットのスペーサ側の面を視認することができない。そのため、例えば、筒状リブとスペーサとの隙間に配索していた導電線が意図せずにずれ動いてしまい、スペーサとソケット固定部との間に挟まれた状態となっても、作業者は気付くことができないおそれがある。
【０００６】
そして、導電線がスペーサとソケット固定部との間に挟まれた状態で、ソケットを支持部材に締結すると、いわゆる線噛みが発生してしまい、導電線が断線するおそれがある。
【０００７】
本発明は、かかる点に鑑みてなされたものであり、その目的は、導電線が配索位置から意図せずにずれ動くのを抑えることにある。
【課題を解決するための手段】
【０００８】
本発明は、光源ユニットを着脱可能に取り付けるためのソケットを対象とし、次のような解決手段を講じた。
【０００９】
すなわち、第１の発明は、径方向の中央位置に中央開口が形成されたフランジ部と、前記中央開口を挟んで前記フランジ部に設けられ、導電線が接続される一対の端子部と、前記導電線が前記フランジ部から離れる方向に移動するのを規制する導電線規制部とを備えている。
【００１０】
第１の発明では、端子部には、導電線が接続される。導電線は、導電線規制部によって、フランジ部から離れる方向への移動が規制される。
【００１１】
これにより、導電線が配索位置から意図せずにずれ動くのを抑えることができる。その結果、ソケットを固定用の部材に締結する際に、ソケットと固定用の部材との間で導電線が挟まれた状態で締結されてしまうのを抑えることができる。
【００１２】
第２の発明は、第１の発明において、前記導電線規制部は、前記フランジ部に設けられた立設部と、該立設部の先端で折り返されたフック部とを有する。
【００１３】
第２の発明では、導電線規制部は、立設部と、フック部とを有する。フック部は、立設部の先端で折り返されている。これにより、フック部に導電線を係止することで、導電線がフランジ部から離れる方向に移動するのを規制することができる。
【００１４】
第３の発明は、第１の発明において、前記導電線は、前記フランジ部に設けられた一対の立設部と、該一対の立設部からそれぞれ突出して互いに対向する一対の爪部とを有する。
【００１５】
第３の発明では、導電線規制部は、一対の立設部と、一対の爪部とを有する。一対の爪部は、一対の立設部からそれぞれ突出して、互いに対向している。これにより、一対の爪部に導電線を引っ掛けることで、導電線がフランジ部から離れる方向に移動するのを規制することができる。
【００１６】
第４の発明は、第１の発明において、前記導電線は、前記フランジ部に設けられた第１挟持部と、該第１挟持部との間に前記導電線を挟み込む隙間を存して該フランジ部に設けられた第２挟持部とを有する。
【００１７】
第４の発明では、導電線規制部は、第１挟持部と、第２挟持部とを有する。そして、第１挟持部と第２挟持部との間に導電線を挟み込むことで、導電線がフランジ部から離れる方向に移動するのを規制することができる。
【００１８】
第５の発明は、第４の発明において、前記第１挟持部と前記第２挟持部との隙間は、前記導電線の配索方向の上流側と下流側とで異なっている。
【００１９】
第５の発明では、第１挟持部と第２挟持部との隙間が、導電線の配索方向の上流側と下流側とで異なっている。これにより、外径の異なる導電線であっても、同じソケットを用いて配索することができる。つまり、外径の大きい導電線は、例えば、第１挟持部と第２挟持部の上流側の隙間で挟み込み、外径の小さな導電線は、第１挟持部と第２挟持部の下流側の隙間で挟み込むようにすればよい。
【００２０】
第６の発明は、第４又は第５の発明において、前記第２挟持部との間に前記導電線を挟み込む隙間を存して、前記フランジ部に設けられた第３挟持部を有し、前記第１挟持部及び前記第２挟持部の隙間と、前記第２挟持部及び前記第３挟持部の隙間とが異なっている。
【００２１】
第６の発明では、第１挟持部及び第２挟持部の隙間と、第２挟持部及び第３挟持部の隙間とが異なっている。これにより、外径の異なる導電線であっても、同じソケットを用いて配索することができる。つまり、外径の小さい導電線は、例えば、第１挟持部と第２挟持部との隙間で挟み込み、外径の大きい導電線は、第２挟持部と第３挟持部との隙間で挟み込むようにすればよい。
【００２２】
第７の発明は、第１乃至第６の発明のうち何れか１つにおいて、前記フランジ部の中央開口の周縁部に沿って設けられた筒状部と、前記筒状部との間に前記導電線を配索する隙間を存して、前記フランジ部に設けられたスペーサ部とをさらに備えている。
【００２３】
第７の発明では、筒状部とスペーサ部との隙間に導電線を配索するようにしている。
【００２４】
第８の発明は、第７の発明において、前記導電線規制部は、前記筒状部の外周面から前記スペーサ部に向かって突出する突起部を有する。
【００２５】
第８の発明では、導電線規制部は、突起部を有する。突起部は、筒状部の外周面からスペーサ部に向かって突出している。これにより、筒状部とスペーサ部との隙間に配索された導電線を突起部に係止することで、導電線がフランジ部から離れる方向に移動するのを規制することができる。
【００２６】
第９の発明は、第７の発明において、前記導電線規制部は、前記フランジ部から離れた位置で、前記筒状部と前記スペーサ部との隙間を覆う蓋部を有する。
【００２７】
第９の発明では、導電線規制部は、蓋部を有する。蓋部は、フランジ部から離れた位置で、筒状部とスペーサ部との隙間を覆っている。これにより、筒状部とスペーサ部との隙間に配索された導電線を蓋部で覆うことで、導電線がフランジ部から離れる方向に移動するのを規制することができる。
【００２８】
第１０の発明は、第９の発明において、前記蓋部は、前記隙間を閉塞する閉じ位置と、該隙間を開放する開き位置との間で開閉可能となっている。
【００２９】
第１０の発明では、蓋部は、閉じ位置と開き位置との間で開閉可能となっている。これにより、筒状部とスペーサ部との隙間に導電線を出し入れする作業を行い易くなる。
【００３０】
第１１の発明は、第７乃至第１０の発明のうち何れか１つにおいて、前記端子部には、前記導電線を挿入する筒状の導電線挿入口が設けられ、前記導電線挿入口の周縁部の一部が切り欠かれており、前記スペーサ部は、前記導電線挿入口の切欠き部分に対向する位置に配置されている。
【００３１】
第１１の発明では、端子部には、筒状の導電線挿入口が設けられる。導電線挿入口の周縁部の一部は、切り欠かれている。導電線挿入口の切欠き部分に対向する位置には、スペーサ部が配置される。
【００３２】
これにより、導電線挿入口の切欠き部分から導電線を引き出して、導電線を筒状部とスペーサ部との隙間に配索することができるので、導電線を無理に折り曲げる必要が無く、断線を抑えることができる。
【００３３】
第１２の発明は、第１乃至第１１の発明のうち何れか１つに記載のソケットと、前記ソケットに着脱可能に取り付けられた光源ユニットとを備えた照明器具である。
【００３４】
第１２の発明では、第１乃至第１１の発明のうち何れか１つに記載のソケットに、光源ユニットを着脱可能に取り付けることで、照明器具を構成するようにしている。
【発明の効果】
【００３５】
本発明によれば、導電線が配索位置から意図せずにずれ動くのを抑えることができる。
【図面の簡単な説明】
【００３６】
【図１】本実施形態１に係る照明器具の構成を示す側面図である。
【図２】端子部側から見たソケットの構成を示す平面図である。
【図３】端子部の蓋体を取り外したときのソケットの構成を示す平面図である。
【図４】光源ユニットの装着面側から見たソケットの構成を示す平面図である。
【図５】光源ユニットをソケットに取り付ける状態を示す側面図である。
【図６】端子部の内部構成を示す側面断面図である。
【図７】本実施形態１の変形例１に係るケーブル規制部の構成を示す側面図である。
【図８】本実施形態１の変形例２に係るケーブル規制部の構成を示す側面図である。
【図９】本実施形態１の変形例３に係るケーブル規制部の構成を示す側面図である。
【図１０】本実施形態２に係るケーブル規制部の構成を示す側面図である。
【図１１】本実施形態２の変形例に係るケーブル規制部の構成を示す側面図である。
【図１２】本実施形態３に係るケーブル規制部の構成を示す斜視図である。
【図１３】本実施形態４に係るケーブル規制部の構成を示す平面図である。
【図１４】本実施形態４の変形例に係るケーブル規制部の構成を示す平面図である。
【図１５】本実施形態５に係るケーブル規制部の構成を示す平面図である。
【図１６】外径の大きな電源ケーブルを配索するときの図１５相当図である。
【図１７】本実施形態６に係るケーブル規制部の構成を示す平面図である。
【図１８】ケーブル規制部の構成を示す側面断面図である。
【図１９】本実施形態６の変形例に係るケーブル規制部の構成を示す平面図である。
【図２０】蓋部を開いた状態を示す図１９相当図である。
【発明を実施するための形態】
【００３７】
以下、本発明の実施形態を図面に基づいて説明する。なお、以下の好ましい実施形態の説明は、本質的に例示に過ぎず、本発明、その適用物或いはその用途を制限することを意図するものではない。
【００３８】
《実施形態１》
図１に示すように、照明器具１０は、例えば、住宅等の天井に埋込配設され、下方に向けて光を照射する。照明器具１０は、取付板１に取り付けられている。取付板１には、端子台２が設けられている。照明器具１０は、器具筐体１１と、光源ユニット１２と、ソケット２０とを備えている。
【００３９】
器具筐体１１は、下方が開口する有底筒状の部材で構成されている。器具筐体１１は、光源ユニット１２が取り付けられる取付台であるとともに、光源ユニット１２で発生する熱を放熱するヒートシンクとしても機能する。器具筐体１１は、例えば、アルミニウムのような熱伝導率の高い材質で構成されている。器具筐体１１の上部には、複数の放熱フィン（図示省略）が設けられている。
【００４０】
光源ユニット１２は、発光モジュールとして、例えば、ＬＥＤ（Light Emitting Diode）を有する。光源ユニット１２は、回転支持部材１５を介して器具筐体１１の内部に支持されている。回転支持部材１５は、光源ユニット１２及びソケット２０を保持する保持部材１６と、保持部材１６を回転可能に支持する回転支持アーム１７とを有する。これにより、光源ユニット１２を任意の姿勢に回転させ、光の照射方向を調整することができる。
【００４１】
光源ユニット１２は、例えば、ＧＸ５３という口金を有するランプで構成されている。光源ユニット１２は、ソケット２０に着脱可能に取り付けられている。ソケット２０には、導電線としての電源ケーブル１８（図２参照）を介して外部の商用電力が入力される。ソケット２０に入力された電力は、光源ユニット１２に供給される。
【００４２】
図２に示すように、ソケット２０は、フランジ部２１と、端子部３０と、スペーサ部２５とを有する。
【００４３】
フランジ部２１は、平板状の部材で構成されている。フランジ部２１の径方向の中央位置には、中央開口２２が形成されている。フランジ部２１における中央開口２２の周縁部には、筒状部２３が立設している。
【００４４】
フランジ部２１における筒状部２３が立設する側の面には、一対の端子部３０が設けられている。一対の端子部３０は、中央開口２２を挟んで図２で左右に配置されている。端子部３０は、フランジ部２１から立設する周壁部３１（図３参照）と、周壁部３１の立設側の開口を覆う蓋体３２とを有する。周壁部３１及び蓋体３２によって、端子部３０の内部に収納空間が区画されている。
【００４５】
端子部３０には、電源ケーブル１８を挿入する筒状のケーブル挿入口３３（導電線挿入口）が設けられている。ケーブル挿入口３３は、端子部３０における厚み方向に直交する方向の一端側（図２では上端側）の周壁部３１にそれぞれ開口している。
【００４６】
図３に示すように、端子部３０の内部には、速結端子４０と、板バネ部材４５とが収納されている。端子部３０におけるフランジ部２１側の面には、長孔状のピン挿入口３４が形成されている。ピン挿入口３４は、端子部３０の内部に連通している。ピン挿入口３４には、光源ユニット１２のピン端子１３が挿入される。
【００４７】
速結端子４０は、バネ部４１と、接点部４２と、導電部４３とを有する（図６も参照）。速結端子４０のバネ部４１、接点部４２、導電部４３は、１枚の導電板を折り曲げることで一体に形成されている。バネ部４１は、鎖錠バネで構成されている。電源ケーブル１８は、速結端子４０のバネ部４１に挟み込まれることで、速結端子４０に電気的に接続されている。
【００４８】
図３で左側の速結端子４０の導電部４３は、ピン挿入口３４を覆うように延びている。そして、左側の速結端子４０の接点部４２は、ピン挿入口３４の下側端部に配置されている。
【００４９】
図３で右側の速結端子４０の導電部４３は、ピン挿入口３４の上側端部まで延びている。そして、右側の速結端子４０の接点部４２は、ピン挿入口３４の上側端部に配置されている。
【００５０】
板バネ部材４５は、ピン挿入口３４の長手方向（図３で上下方向）に沿って延びている。板バネ部材４５は、ピン挿入口３４に向かって突出するように折り曲げられた屈曲部４６を有する。ピン端子１３は、速結端子４０の接点部４２と板バネ部材４５の屈曲部４６との間に挟み込まれる。
【００５１】
スペーサ部２５は、一対の端子部３０の長手方向の両端部にそれぞれ配置されている。スペーサ部２５は、図示しない締結ネジ（図示省略）によって、回転支持部材１５の保持部材１６（図１参照）に締結固定される。
【００５２】
電源ケーブル１８は、端子部３０のケーブル挿入口３３に接続されるとともに、筒状部２３とスペーサ部２５との隙間を通って配索される。ここで、ケーブル挿入口３３は、スペーサ部２５に対向する周縁部の一部が切り欠かれている。
【００５３】
これにより、ケーブル挿入口３３の切欠き部分から電源ケーブル１８を引き出して、電源ケーブル１８を筒状部２３とスペーサ部２５との隙間に配索することができるので、電源ケーブル１８を無理に折り曲げる必要が無く、断線を抑えることができる。
【００５４】
フランジ部２１における左右のスペーサ部２５の間には、一対のケーブル規制部５０（導電線規制部）が設けられている。ケーブル規制部５０は、フランジ部２１に設けられた立設部５１と、立設部５１の先端で折り返されたフック部５２とを有する（図５参照）。そして、フック部５２に電源ケーブル１８を係止することで、電源ケーブル１８がフランジ部２１から離れる方向に移動するのを規制することができる。
【００５５】
図４に示すように、フランジ部２１における光源ユニット１２が装着される面には、ピン端子１３が挿入される長孔状のピン挿入口３４と、解除ピン（図示省略）が挿入される開口部２４とが形成されている。
【００５６】
そして、光源ユニット１２のピン端子１３をピン挿入口３４に挿入して、図４で時計回り方向に光源ユニット１２を回転させる。これにより、左右のピン端子１３を、左右の速結端子４０の接点部４２にそれぞれ電気的に接続することができる。
【００５７】
ここで、図５に示すように、光源ユニット１２の外周面には、嵌合溝１２ａが形成されている。また、フランジ部２１の中央開口２２には、径方向内側に突出する嵌合爪２１ａ（図４参照）が設けられている。そのため、光源ユニット１２をソケット２０に対して回転させたときに、嵌合溝１２ａに嵌合爪２１ａが嵌合され、光源ユニット１２が軸方向に脱落しなくなる。これにより、光源ユニット１２がソケット２０に装着される。
【００５８】
図６に示すように、端子部３０の内部には、第１空間３５と、第２空間３６とが設けられている。図６では、図４で左側の端子部３０の内部構造を示している。第１空間３５は、ケーブル挿入口３３に連通している。ケーブル挿入口３３は、端子部３０の周壁部３１から径方向外側（図６で左側）に延びている。
【００５９】
第２空間３６は、ピン挿入口３４に連通している。ピン挿入口３４は、ケーブル挿入口３３と交差する方向（図６で下方向）に開口している。第２空間３６は、第１空間３５よりも下方に位置している。
【００６０】
第１空間３５と第２空間３６とは、絶縁壁部３７で仕切られている。絶縁壁部３７は、ピン挿入口３４の周縁部から立設して、ピン端子１３の上方を覆うように水平方向に延びた後で、蓋体３２に向かって上方に延びている。絶縁壁部３７の上端部と蓋体３２の下面との間には、速結端子４０の導電部４３が通る隙間が設けられている。
【００６１】
第１空間３５には、速結端子４０のバネ部４１が収納されている。第２空間３６には、速結端子４０の接点部４２が収納されている。ピン端子１３は、光源ユニット１２の回転に伴って第２空間３６内を移動して、速結端子４０の接点部４２に電気的に接続される。
【００６２】
電源ケーブル１８は、先端の被覆部が剥離されることで素線が露出している。電源ケーブル１８は、ケーブル挿入口３３から差し込まれることで、電源ケーブル１８の素線が速結端子４０のバネ部４１に挟み込まれる。これにより、電源ケーブル１８が速結端子４０のバネ部４１に電気的に接続される。
【００６３】
ここで、速結端子４０のバネ部４１と接点部４２は、導電部４３によって繋がっているので、電源ケーブル１８とピン端子１３とは、速結端子４０を介して電気的に接続される。
【００６４】
端子部３０の図６で左側の周壁部３１には、解除孔３８が形成されている。解除孔３８は、速結端子４０のバネ部４１を臨む位置に開口している。フランジ部２１における端子部３０が設けられた面とは反対側（図６で下側）には、開口部２４が開口している。開口部２４は、解除孔３８に交差する方向に延びて、解除孔３８に連通している。
【００６５】
ここで、電源ケーブル１８を速結端子４０のバネ部４１から取り外す際には、フランジ部２１の開口部２４から解除孔３８に向かって解除ピン（図示省略）を差し込む。
【００６６】
そして、解除ピン（図示省略）の先端部で速結端子４０のバネ部４１を押圧して、バネ部４１を弾性変形させる。これにより、電源ケーブル１８と速結端子４０との係合状態を解除して、電源ケーブル１８をケーブル挿入口３３から引き抜くことができる。
【００６７】
なお、本実施形態に示すような速結端子４０を有するソケット２０として、例えば、ＣＯＢ（Chip on Board）モジュール用のホルダソケットであってもよい。
【００６８】
−実施形態１の変形例１−
図７に示すように、フランジ部２１における左右のスペーサ部２５の間には、ケーブル規制部５０が１つ設けられている。ケーブル規制部５０は、フランジ部２１に設けられた１つの立設部５１と、立設部５１の先端で左右方向の外側に分岐して折り返された２つのフック部５２とを有する。
【００６９】
そして、左右のフック部５２にそれぞれ電源ケーブル１８を係止することで、電源ケーブル１８がフランジ部２１から離れる方向に移動するのを規制することができる。
【００７０】
−実施形態１の変形例２−
図８に示すように、フランジ部２１における左右のスペーサ部２５の間には、一対のケーブル規制部５０が設けられている。ケーブル規制部５０は、フランジ部２１に設けられた立設部５１と、立設部５１の先端で折り返されたフック部５２とを有する。立設部５１及びフック部５２は、フランジ部２１の径方向に沿って延びている。これにより、フランジ部２１の径方向に配索された電源ケーブル１８との接触面積を増やすことができる。
【００７１】
−実施形態１の変形例３−
図９に示すように、フランジ部２１における左右のスペーサ部２５の間には、ケーブル規制部５０が１つ設けられている。ケーブル規制部５０は、フランジ部２１に設けられた一対の立設部５１と、一対の立設部５１の先端同士を連結する連結部５３とを有する。
【００７２】
そして、左右の立設部５１と連結部５３との隙間に電源ケーブル１８を挿通させることで、電源ケーブル１８がフランジ部２１から離れる方向に移動するのを規制することができる。
【００７３】
《実施形態２》
図１０に示すように、フランジ部２１における左右のスペーサ部２５の間には、一対のケーブル規制部６０が設けられている。ケーブル規制部６０は、フランジ部２１に設けられた一対の立設部６１と、一対の立設部６１からそれぞれ突出して互いに対向する一対の爪部６２とを有する。
【００７４】
ここで、電源ケーブル１８を一対の爪部６２に対して上方から押し込むと、立設部６１が弾性変形して隙間が広がり、一対の立設部６１の間に電源ケーブル１８が収納される。この状態では、一対の爪部６２に電源ケーブル１８が引っ掛かっているので、電源ケーブル１８がフランジ部２１から離れる方向に移動するのを規制することができる。
【００７５】
−実施形態２の変形例−
図１１に示すように、フランジ部２１における左右のスペーサ部２５の間には、ケーブル規制部６０が設けられている。ケーブル規制部６０は、フランジ部２１に設けられた３つの立設部６１と、３つの立設部６１からそれぞれ突出して互いに対向する４つの爪部６２とを有する。
【００７６】
そして、電源ケーブル１８を爪部６２に対して上方から押し込むと、立設部６１が弾性変形して隙間が広がり、隣り合う立設部６１の間に電源ケーブル１８が収納される。この状態では、爪部６２に電源ケーブル１８が引っ掛かっているので、電源ケーブル１８がフランジ部２１から離れる方向に移動するのを規制することができる。
【００７７】
《実施形態３》
図１２に示すように、ケーブル規制部６５は、筒状部２３の外周面からスペーサ部２５に向かって突出する突起部６６を有する。これにより、筒状部２３とスペーサ部２５との隙間に配索された電源ケーブル１８を突起部６６に係止することで、電源ケーブル１８がフランジ部２１から離れる方向に移動するのを規制することができる。
【００７８】
《実施形態４》
図１３に示すように、フランジ部２１における左右のスペーサ部２５の間には、一対のケーブル規制部７０が設けられている。ケーブル規制部７０は、フランジ部２１に設けられた第１挟持部７１と、第１挟持部７１との間に電源ケーブル１８を挟み込む隙間を存してフランジ部２１に設けられた第２挟持部７２とを有する。
【００７９】
そして、第１挟持部７１と第２挟持部７２との間に電源ケーブル１８を挟み込むことで、電源ケーブル１８がフランジ部２１から離れる方向に移動するのを規制することができる。
【００８０】
ここで、第１挟持部７１と第２挟持部７２との隙間は、電源ケーブル１８の配索方向の上流側と下流側とで異なっている。具体的に、電源ケーブル１８の配索方向の下流側の隙間ｄ１は、上流側の隙間ｄ２よりも小さくなっている。
【００８１】
これにより、外径の異なる電源ケーブル１８であっても、同じソケット２０を用いて配索することができる。つまり、外径の小さな電源ケーブル１８は、第１挟持部７１と第２挟持部７２の下流側の隙間ｄ１で挟み込み、外径の大きい電源ケーブル１８は、第１挟持部７１と第２挟持部７２の上流側の隙間ｄ２で挟み込むようにすればよい。
【００８２】
−実施形態４の変形例−
図１４に示すように、フランジ部２１における左右のスペーサ部２５の間には、ケーブル規制部７０が１つ設けられている。ケーブル規制部７０は、フランジ部２１に設けられた第１挟持部７１と、第１挟持部７１との間に電源ケーブル１８を挟み込む隙間を存してフランジ部２１に設けられた第２挟持部７２とを有する。
【００８３】
第１挟持部７１及び第２挟持部７２は、フランジ部２１の厚み方向に延びており、左右の電源ケーブル１８を厚み方向に重ねた状態で挟み込むことができるようになっている。
【００８４】
ここで、第１挟持部７１と第２挟持部７２との隙間は、電源ケーブル１８の配索方向の上流側と下流側とで異なっている。具体的に、電源ケーブル１８の配索方向の下流側の隙間ｄ１は、上流側の隙間ｄ２よりも小さくなっている。これにより、外径の異なる電源ケーブル１８であっても、同じソケット２０を用いて配索することができる。
【００８５】
《実施形態５》
図１５に示すように、フランジ部２１における左右のスペーサ部２５の間には、一対のケーブル規制部７５が設けられている。ケーブル規制部７５は、フランジ部２１に設けられた第１挟持部７６と、第１挟持部７６との間に電源ケーブル１８を挟み込む隙間ｄ１を存してフランジ部２１に設けられた第２挟持部７７と、第２挟持部７７との間に電源ケーブル１８を挟み込む隙間ｄ２を存してフランジ部２１に設けられた第３挟持部７８とを有する。
【００８６】
ここで、第１挟持部７６と第２挟持部７７との隙間ｄ１は、第２挟持部７７と第３挟持部７８との隙間ｄ２よりも小さくなっている。これにより、外径の異なる電源ケーブル１８であっても、同じソケット２０を用いて配索することができる。
【００８７】
具体的に、図１５に示すように、外径の小さな電源ケーブル１８は、第１挟持部７６と第２挟持部７７との隙間ｄ１で挟み込むように配索すればよい。一方、図１６に示すように、外径の大きい電源ケーブル１８は、第２挟持部７７と第３挟持部７８との隙間ｄ２で挟み込むように配索すればよい。
【００８８】
《実施形態６》
図１７に示すように、ケーブル規制部８０は、フランジ部２１から離れた位置で、筒状部２３とスペーサ部２５との隙間を覆う蓋部８１を有する。蓋部８１は、端子部３０の蓋体３２に一体形成されている。蓋部８１と蓋体３２との境界位置には、溝部８２が形成されている。蓋部８１は、溝部８２が形成されることで薄肉となった部分を中心として、上下方向に開閉可能となっている。
【００８９】
具体的に、図１８に示すように、蓋部８１は、筒状部２３とスペーサ部２５との隙間を閉塞する閉じ位置と、隙間を開放する開き位置との間で開閉可能となっている。
【００９０】
これにより、筒状部２３とスペーサ部２５との隙間に電源ケーブル１８を出し入れする作業が行い易くなるとともに、電源ケーブル１８がフランジ部２１から離れる方向に移動するのを規制することができる。
【００９１】
−実施形態６の変形例−
図１９に示すように、ケーブル規制部８０は、フランジ部２１から離れた位置で、筒状部２３とスペーサ部２５との隙間を覆う蓋部８１を有する。蓋部８１は、ヒンジ部８３を介してフランジ部２１の周縁部に一体形成されている（図２０参照）。
【００９２】
蓋部８１は、筒状部２３とスペーサ部２５との隙間を閉塞する閉じ位置（図１９参照）と、隙間を開放する開き位置（図２０参照）との間で開閉可能となっている。
【００９３】
これにより、筒状部２３とスペーサ部２５との隙間に電源ケーブル１８を出し入れする作業が行い易くなるとともに、電源ケーブル１８がフランジ部２１から離れる方向に移動するのを規制することができる。
【００９４】
また、蓋部８１は、閉じ位置にあるときに、ケーブル挿入口３３全体を覆うことが可能なサイズに形成されている。これにより、電源ケーブル１８の絶縁性を確保することができる。そのため、図２０に示すように、ケーブル挿入口３３の長さを短くして、ソケット２０全体の小型化を図ることができる。
【産業上の利用可能性】
【００９５】
以上説明したように、本発明は、電源ケーブルが配索位置から意図せずにずれ動くのを抑えることができるという実用性の高い効果が得られることから、きわめて有用で産業上の利用可能性は高い。
【符号の説明】
【００９６】
１０    照明器具
１２    光源ユニット
１８    電源ケーブル（導電線）
２０    ソケット
２１    フランジ部
２２    中央開口
２３    筒状部
２５    スペーサ部
３０    端子部
３３    ケーブル挿入口（導電線挿入口）
５０    ケーブル規制部（導電線規制部）
５１    立設部
５２    フック部
６０    ケーブル規制部（導電線規制部）
６１    立設部
６２    爪部
６５    ケーブル規制部（導電線規制部）
６６    突起部
７０    ケーブル規制部（導電線規制部）
７１    第１挟持部
７２    第２挟持部
７５    ケーブル規制部（導電線規制部）
７６    第１挟持部
７７    第２挟持部
７８    第３挟持部
８０    ケーブル規制部（導電線規制部）
８１    蓋部
【図１】
2020136209.tif 000003
【図２】
2020136209.tif 000004
【図３】
2020136209.tif 000005
【図４】
2020136209.tif 000006
【図５】
2020136209.tif 000007
【図６】
2020136209.tif 000008
【図７】
2020136209.tif 000009
【図８】
2020136209.tif 000010
【図９】
2020136209.tif 000011
【図１０】
2020136209.tif 000012
【図１１】
2020136209.tif 000013
【図１２】
2020136209.tif 000014
【図１３】
2020136209.tif 000015
【図１４】
2020136209.tif 000016
【図１５】
2020136209.tif 000017
【図１６】
2020136209.tif 000018
【図１７】
2020136209.tif 000019
【図１８】
2020136209.tif 000020
【図１９】
2020136209.tif 000021
【図２０】
2020136209.tif 000022